(57)【要約】【課題】  液体の供給または吸引を行っていないノズルの先端から液滴が落下することをより確実に防止する。【解決手段】  培養容器２の上部開口を介して培養容器２内部に貯留される液体Ａを供給または吸引するノズル３を備えるとともに、液体Ａの供給または吸引時にノズル３の先端開口を下向きに配置する給排位置と、液体Ａの供給および吸引を行わない時に先端開口を上向きに配置する待機位置との間でノズル３を移動させるノズル移動機構１０を備える液体給排装置１を提供する。【選択図】  図１
2006167496.tif 000002
【特許請求の範囲】
【請求項１】
培養容器の上部開口を介して培養容器内部に貯留される液体を供給または吸引するノズルを備えるとともに、
液体の供給または吸引時にノズルの先端開口を下向きに配置する給排位置と、液体の供給および吸引を行わない時に前記先端開口を上向きに配置する待機位置との間でノズルを移動させるノズル移動機構を備える液体給排装置。
【請求項２】
前記ノズル移動機構が、略水平な軸線回りに回転可能な回転ヘッドを備え、
前記ノズルが、前記回転ヘッドに、半径方向外方を向けて固定されている請求項１に記載の液体給排装置。
【請求項３】
前記ノズルが複数備えられ、各ノズルが９０°より大きな間隔をあけて回転ヘッドに固定されている請求項２に記載の液体給排装置。
【請求項４】
請求項１から請求項３のいずれかに記載の液体給排装置を備える培養処理装置。
【発明の詳細な説明】
【技術分野】
【０００１】
本発明は、液体給排装置および培養処理装置に関するものである。
【背景技術】
【０００２】
従来、液体吐出時における吐出ノズル先端からの液だれを防止する液体吐出装置が知られている（例えば、特許文献１参照。）。
この特許文献１に開示されている液体吐出装置は、液晶表示パネル用のガラス基板や半導体装置の半導体基板などの基板表面に現像液、エッチング液あるいは洗浄液などの各種処理液を吐出する装置であって、吐出ノズルを逆Ｊ字状に形成し、液体非吐出時における液面よりも高い位置に吐出ノズルの先端開口を下向きに配置している。この液体吐出装置によれば、液体の吐出停止時にサイフォン現象によってノズル先端から液体が吐出されてしまうことが防止できるとされている。
【特許文献１】特開平９−１６０２５６号公報
【発明の開示】
【発明が解決しようとする課題】
【０００３】
しかしながら、ノズルによって液体を供給し、あるいは、貯留されている液体をノズルによって吸引する場合には、ノズルの内壁にも微量の液滴が付着する。そして、この液滴は、液体吐出装置や周囲の機器の振動等によって経時的に移動し、他の液滴と結合してより大きな液滴となり、ノズルの先端から落下することが考えられる。このため、特許文献１におけるように液体非吐出時の液面の位置をノズルの先端開口よりも低い位置に配置したとしても、ノズルの先端から液滴が落下することを完全に防止することはできないという不都合がある。
【０００４】
特に、培養容器内に液体を供給する場合に、液滴が周囲に落下すると、周囲環境を汚してしまう不都合がある。さらに、培養容器内から吸引した液体が周囲に落下すると、液体内に含有されている検体の一部が周囲に飛散することにもなり、飛散した検体が他の検体に混入する、いわゆるクロスコンタミネーションが発生する原因ともなり得る。この場合に、ノズル内を常にポンプで吸引状態にしておくことも考えられるが、騒音や構成部品の寿命等が問題となる。また、ノズルの内壁面に付着した微細な液滴まで確実に吸引するには、高い吸引能力のポンプを用意する必要があり非効率でもある。
【０００５】
この発明は上述した事情に鑑みてなされたものであって、液体の供給または吸引を行っていないときに、ノズルの先端から液滴が落下することをより確実に防止できる液体給排装置と、これを備える培養処理装置とを提供することを目的としている。
【課題を解決するための手段】
【０００６】
上記目的を達成するために、本発明は以下の手段を提供する。
本発明は、培養容器の上部開口を介して培養容器内部に貯留される液体を供給または吸引するノズルを備えるとともに、液体の供給または吸引時にノズルの先端開口を下向きに配置する給排位置と、液体の供給および吸引を行わない時に前記先端開口を上向きに配置する待機位置との間でノズルを移動させるノズル移動機構を備える液体給排装置を提供する。
【０００７】
本発明によれば、ノズル移動機構を作動させてノズルの先端開口を下向きにした給排位置に配置して、培養容器の上部開口を介して培養容器内に液体を供給することができる。一方、液体の供給および吸引を行わない時にはノズル移動機構を作動させてノズルの先端開口を上向きにした待機位置に配置する。これにより、ノズルの内壁面に付着した微細な液滴が振動等によって結合して大きな液滴となっても、落下することがなく、液だれを防止することができる。
【０００８】
上記発明においては、前記ノズル移動機構が、略水平な軸線回りに回転可能な回転ヘッドを備え、前記ノズルが、前記回転ヘッドに、半径方向外方を向けて固定されていることとしてもよい。
このようにすることで、培養容器内に液体を供給しまたは培養容器内の液体を吸引する場合には、回転ヘッドを回転させてノズルを下向きにし、培養容器に対して液体を供給または吸引することができる。また、培養容器に対する液体の供給および吸引を行わない場合には、回転ヘッドを回転させる。回転ヘッドは略水平な軸線回りに回転可能に設けられているので、ノズルの先端開口を水平方向よりも上方に向かうように配置することができ、それによって、先端開口からの液だれを防止することができる。
【０００９】
また、上記発明においては、前記ノズルが複数備えられ、各ノズルが９０°より大きな間隔をあけて回転ヘッドに固定されていることが好ましい。
このようにすることで、一のノズルを下向きにして培養容器に対して液体を供給または吸引しているときに、他のノズルを水平方向よりも上方に向かうように配置することができる。したがって、供給または吸引しているノズルとは異なるノズルから培養容器内に液滴が落下してしまうことを防止することができる。
【００１０】
また、本発明は、上記いずれかの液体給排装置を備える培養処理装置を提供する。
培養処理装置は、培養容器の上部開口から内部の検体に対して、培養液の供給や吸引、薬液の供給等の所定の処理を施す。
本発明によれば、液体給排装置が培養容器内に液体を供給し、あるいは、培養容器内に貯留されている液体を吸引するので、ノズルの先端開口から不必要な液体が培養容器内に落下したり、培養容器の周囲に飛散したりすることを防止して、清浄な環境において培養容器内の検体に対し処理を施すことができる。
【発明の効果】
【００１１】
本発明によれば、培養容器に液体を供給しあるいは培養容器内の液体を吸引するノズル先端から、ノズルの内壁面に付着していた液滴が予期せずに落下してしまうことを防止することができる。したがって、培養容器内に意図しない液体が混入したり、培養容器外に飛散したりすることをより確実に防止することができるという効果を奏する。
【発明を実施するための最良の形態】
【００１２】
本発明の第１の実施形態に係る液体給排装置１について図１および図２を参照して、以下に説明する。
本実施形態に係る液体給排装置１は、図１に示されるように、液体供給装置であって、培養容器２に液体Ａを放出するノズル３と、ノズル３から放出する液体Ａを貯留する液体容器４と、該液体容器４からノズル３に向けて液体Ａを送給する送給配管５およびポンプ６とを備えるとともに、ノズル３を回転させる回転ヘッド７を備えている。
【００１３】
ノズル３の先端には使い捨て可能なチップ８が着脱可能に取り付けられている。
また、培養容器２に送給する液体Ａとしては、培養液や、該培養液に混入させる成長因子や栄養剤あるいは抗生物質等の薬液や、培養容器に付着して成長した細胞を培養容器から剥離させるためのトリプシンのような蛋白質分解酵素を挙げることができる。
【００１４】
回転ヘッド７は、ノズル３を固定するヘッド部９と、該ヘッド部９を略水平な軸線回りに回転させるモータ１０とを備えている。ノズル３は、チップ８の先端開口８ａが半径方向外方に向かうようにヘッド部９に固定されている。
【００１５】
このように構成された本実施形態に係る液体給排装置１の作用について、以下に説明する。
本実施形態に係る液体給排装置１により培養容器２内に液体Ａを供給するには、培養容器２を回転ヘッド７のヘッド部９の下方に配置した状態で、モータ１０を作動させ、回転ヘッド７のヘッド部９を略水平な軸線回りに回転させる。そして、図２に実線で示されるように、ヘッド部９に固定したノズル３の先端が下向きに配置された時点でヘッド部９の回転を停止し、ポンプ６を作動させる。
【００１６】
これにより、液体容器４内に貯留されている液体Ａが送給配管５を介してノズル３に送られ、ノズル３の先端のチップ８から下向きに放出される。培養容器２はヘッド部９の下方に配置されているので、ノズル３から放出された液体Ａは培養容器２内に投入され、外部に飛散することが防止される。
【００１７】
次に、培養容器２内への液体の供給が終了した場合には、モータ１０を作動させて回転ヘッド７のヘッド部９を略水平な軸線回りに回転させる。そして、図２に鎖線で示されるように、ヘッド部９に固定したノズル３の先端が水平方向よりも上向きになる待機位置に配置する。これにより、チップ８の先端開口８ａが上向きに配置されるので、送給配管５、ノズル３またはチップ８の内面に液滴が付着していたとしても、それが予期しない状態でチップ８の先端開口８ａから流れ出ることが確実に防止されることになる。
【００１８】
この場合において、本実施形態に係る液体給排装置１によれば、液滴が落下することを防止するために、回転ヘッド７のヘッド部９を回転させるだけで済み、吸引力の高いポンプによって吸引し続ける必要がなく、簡易かつより確実に、しかも振動や騒音もなく効率的に液だれを防止することができるという利点がある。
【００１９】
なお、本実施形態においては、ノズル３の先端にチップ８を取り付けた状態で、待機位置に配置する場合について説明したが、チップ８を廃棄し、あるいは交換した後にノズル３を待機位置に配置することにしてもよい。
また、本実施形態に係る液体給排装置１としては、培養容器内に液体を供給する液体供給装置を例に挙げて説明したが、これに代えて、培養容器内に貯留されている液体を吸引する液体吸引装置に同様の構造を適用することにしてもよい。
【００２０】
次に、本発明の第２の実施形態に係る液体給排装置１１について、図３および図４を参照して以下に説明する。
本実施形態の説明において、上述した第１の実施形態に係る液体給排装置１と構成を共通とする箇所には同一符号を付して説明を省略する。
【００２１】
本実施形態に係る液体給排装置１１は、図３および図４に示されるように、回転ヘッド７のヘッド部９に２個のノズル３が固定されている点において第１の実施形態に係る液体給排装置１と相違している。
各ノズル３には、別々の送給配管５，５′、ポンプ６，６′および液体容器４，４′が接続され、別個の液体Ａ，Ｂがそれぞれ送給されるようになっている。
また、２つのノズルは、図４に示されるように、９０°より大きな角度、例えば、１２０°の角度をあけてヘッド部９に固定されている。
【００２２】
このように構成された本実施形態に係る液体給排装置１１の作用について以下に説明する。
本実施形態に係る液体給排装置１１により培養容器２内に液体Ａを供給するには、培養容器２を回転ヘッド７のヘッド部９の下方に配置した状態で、モータ１０を作動させ、回転ヘッド７のヘッド部９を略水平な軸線回りに回転させる。そして、図４（ａ）に示されるように、液体容器４に接続されたノズル３の先端が下向きに配置された時点でヘッド部９の回転を停止し、ポンプ６を作動させる。
【００２３】
これにより、液体容器４内に貯留されている液体Ａが送給配管５を介してノズル３に送られ、ノズル３の先端のチップ８から下向きに放出される。培養容器２はヘッド部９の下方に配置されているので、ノズル３から放出された液体Ａは培養容器２内に投入され、外部に飛散することが防止される。
【００２４】
一方、培養容器２内に液体Ｂを供給するには、培養容器２を回転ヘッド７のヘッド部９の下方に配置した状態で、モータ１０を作動させ、回転ヘッド７のヘッド部９を略水平な軸先回りに回転させる。そして、図４（ｂ）に示されるように、液体容器４′に接続されたノズル３の先端が下向きに配置された時点でヘッド部９の回転を停止し、ポンプ６′を作動させる。
これにより、液体容器４′内に貯留されている液体Ｂが送給配管５′を介してノズル３に送られ、ノズル３の先端のチップ８から下向きに放出される。
【００２５】
次に、培養容器２内への液体Ａあるいは液体Ｂの供給が終了した場合には、モータ１０を作動させて回転ヘッド７のヘッド部９を略水平な軸線回りに回転させる。そして、図４（ｃ）に示されるように、ヘッド部９に固定した２つのノズル３の先端が水平方向よりも上向きになる待機位置に配置する。これにより、２つのチップ８の先端開口８ａが上向きに配置されるので、送給配管５、５′、ノズル３またはチップ８の内面に液滴が付着していたとしても、それが予期しない状態でチップ８の先端開口８ａから流れ出ることが確実に防止されることになる。
【００２６】
本実施形態に係る液体給排装置１１によっても、第１の実施形態と同様に、液滴が落下することを防止するために、回転ヘッド７のヘッド部９を回転させるだけで済み、吸引力の高いポンプによって吸引し続ける必要がなく、簡易かつより確実に液だれを防止することができる。
【００２７】
特に、本実施形態に係る液体給排装置１１によれば、２つのノズル３が相互に１２０°の角度をあけて配置されているので、一方のノズル３を下向きに配置したときには、他方のノズル３は水平方向よりも上向きに配置されることになる。したがって、異なる２種類の液体Ａ，Ｂを同一の液体給排装置１１によって供給することができ、しかも、一方のノズル３から一方の液体Ａ（Ｂ）を培養容器２内に供給しているときに、他方のノズル３の先端から他方の液体Ｂ（Ａ）が滴下されてしまうことをも防止できる。
【００２８】
なお、本実施形態においても、液体供給装置を例に挙げて説明したが、液体吸引装置に適用することにしてもよい。また、複数のノズルの内、いずれかを液体供給用に、他のいずれかを液体吸引用にすることにしてもよい。さらに、ノズル間の間隔を１２０°に設定したが、これに代えて、９０°より大きな任意の角度を採用してもよい。
【００２９】
次に、本発明の第３の実施形態に係る液体給排装置１２について、図５および図６を参照して説明する。
本実施形態の説明においても、上述した第１、第２の実施形態に係る液体給排装置１，１１と構成を共通とする箇所に同一符号を付して説明を省略する。
【００３０】
本実施形態に係る液体給排装置１２は、図５および図６に示されるように、第２の実施形態に係る液体給排装置１１と同様にヘッド部９に固定された２つのノズル３を備えるとともに、第３のノズル３′を備えている。２つのノズル３は、送給配管５，５′およびポンプ６，６′を介して液体容器４，４′に接続され、液体容器４，４′に貯留されている液体Ａ，Ｂをノズル３の先端に取り付けられたチップ８の先端開口８ａからそれぞれ吐出させることができるようになっている。
【００３１】
第３のノズル３′には、配管５″を介してシリンジポンプ６″が接続されている。シリンジポンプ６″は、シリンダ内においてピストンを往復動させることにより配管５″内に発生する圧力を利用してノズル３′の先端のチップ８′に接触させた培養容器２内の液体を吸引または排出するようになっている。ピストンの往復動作距離を制限することによって、培養容器２内の液体をチップ８′内にのみ吸引するようになっている。
これら３つのノズル３，３′は、図６に示されるように、互いに１２０°の間隔をあけてヘッド部９に固定されている。
【００３２】
このように構成された本実施形態に係る液体給排装置１２の作用について、以下に説明する。
本実施形態に係る液体給排装置１２により培養容器２内に液体Ａを供給するには、培養容器２を回転ヘッド７のヘッド部９の下方に配置した状態で、モータ１０を作動させ、回転ヘッド７のヘッド部９を略水平な軸線回りに回転させる。そして、図６（ａ）に示されるように、液体容器４に接続されたノズル３の先端が下向きに配置された時点でヘッド部９の回転を停止し、ポンプ６を作動させる。これにより、液体容器４内に貯留されている液体Ａが送給配管５を介してノズル３に送られ、ノズル３の先端のチップ８から下向きに放出される。
【００３３】
一方、培養容器２内に液体Ｂを供給するには、培養容器２を回転ヘッド７のヘッド部９の下方に配置した状態で、モータ１０を作動させ、回転ヘッド７のヘッド部９を略水平な軸先回りに回転させる。そして、図６（ｂ）に示されるように、液体容器４′に接続されたノズル３の先端が下向きに配置された時点でヘッド部９の回転を停止し、ポンプ６′を作動させる。これにより、液体容器４′内に貯留されている液体Ｂが送給配管５′を介してノズル３に送られ、ノズル３の先端のチップ８から下向きに放出される。
【００３４】
さらに、培養容器２内の液体をいわゆるピペッティング動作によって攪拌等する場合には、モータ１０を作動させて回転ヘッド７のヘッド部９を略水平な軸線回りに回転させる。そして、図６（ｃ）に示されるように、ノズル３′が下向きになるように配置する。この状態で回転ヘッド７を培養容器２に近接させて、培養容器２内の液体にノズル３′先端のチップ８′を接触させ、シリンジポンプ６″を駆動する。
【００３５】
これにより、配管５″内およびノズル３′、チップ８′内に生ずる圧力変化によって、培養容器２内の液体がチップ８′内に吸引され、吐出されることが繰り返される。これにより、培養容器２内の液体が攪拌されることになる。
【００３６】
ピペッティング動作が終了した後には、図示しないチップ交換装置によって使用済みのチップ８′を新たなチップに交換する。培養容器２内の液体は、チップ８′にのみ接触していたので、新たなチップへの交換によって、ノズル３′を含む配管系には液体が残留しない。したがって、図６（ｃ）に示される位置を待機位置とすることにより、液体の給排を行わない状態においても、３つのノズル３，３′の先端からの液だれを防止することができる。
【００３７】
次に、本発明の一実施形態に係る培養処理装置２０について、図７〜図１３を参照して以下に説明する。
本実施形態に係る培養処理装置２０は、図７に示される自動培養装置２１に適用する。
この自動培養装置２１は、図７に示されるように、シャッタ２２を介して相互に連絡する第１空間Ｓ１と第２空間Ｓ２とを備えている。
【００３８】
第１空間Ｓ１の両側空間Ｓ１１，Ｓ１３には、培養容器２を収容する培養室２４が２個ずつ計４個配置され、中央空間Ｓ１２には、培養容器２を移動するための搬送ロボット２５が備えられている。中央空間Ｓ１２の上部には、中央空間Ｓ１２内の空気を浄化するために清浄な下降空気流を送る空気清浄部２６が設けられている。
４個の培養室２４は、それぞれ中央空間Ｓ１２に向けて扉２４ａを配置することにより、横に並んだ２個ずつが相互に扉２４ａを対向させて、間隔をあけて配置されている。
【００３９】
前記各培養室２４は、図８および図９に示されるように、一側面に開口部２４ｂを有し、該開口部２４ｂを開閉可能な扉２４ａを備えている。開口部２４ｂに向かって左右の側壁には、対応する高さ位置に複数のレール状のトレイ保持部材２４ｃが設けられており、左右対となる各トレイ保持部材２４ｃに掛け渡すようにして、トレイ２７を上下方向に複数段収容できるようになっている。なお、トレイ保持部材２４ｃはレール状に限定されず、トレイ２７を出し入れ可能に支持することができれば任意の形態でよい。また、各培養室２４内は、所定の培養条件、例えば、温度３７±０．５℃、湿度１００％およびＣＯ２濃度５％等に維持されている。
【００４０】
各トレイ２７には、複数個、例えば、１０個の培養容器２を並べて載置できるようになっている。各培養容器２は、図１０に示されるように、容器本体２ａと、該容器本体２ａの上面に設けられた蓋体２ｂとからなり、容器本体２ａの左右の側面には、後述する第２空間内のハンドにより引っかけられる突起２ｃが設けられている。
【００４１】
各培養室２４の下方には、図７に示されるように、未使用の培養容器２をトレイ２７に搭載した状態で複数収容するストッカ２８が配置されている。
前記搬送ロボット２５は、４個の培養室２４の間隔位置のほぼ中央に配置されている。該搬送ロボット２５は、水平回転可能な第１アーム２５ａと、該第１アーム２５ａの先端に鉛直軸回りに回転可能に連結された第２アーム２５ｂと、該第２アーム２５ｂの先端に鉛直軸回りに回転可能に取り付けられ、それ自身は駆動部、伝導機構などの培養室内の環境を劣化させる機構を持たないハンド２５ｃと、これら第１アーム２５ａ、第２アーム２５ｂおよびハンド２５ｃを昇降可能な昇降機構２５ｄとを備えている。これにより、搬送ロボット２５は、４個の培養室２４内の全てのトレイ２７にアクセスするとともに、前記シャッタ２２を跨いで第１空間Ｓ１と第２空間Ｓ２との間に配置されたコンベア２９上にトレイ２７を引き渡すことができる水平方向の動作範囲を有している。
【００４２】
前記コンベア２９は、搬送ロボット２５のハンド２５ｃの幅寸法より大きな間隔をあけて左右に配置された２本の無端ベルト２９ａを備え、これら無端ベルト２９ａに掛け渡してトレイ２７を載置できるようになっている。また、搬送ロボット２５は、培養室２４内の全てのトレイ２７にアクセスするとともに、前記ストッカ２８内の少なくとも最上段のトレイ２７に対応する位置に設けられた導入口（図示略）にアクセスできる垂直方向の動作範囲を有している。
なお、ベルト２９ａは無端ベルトに限られない。
【００４３】
前記ハンド２５ｃは、トレイ２７を載置可能に水平方向に延びる平坦な形状に形成されており、培養室２４に収容されているトレイ２７間の隙間に挿入可能な厚さ寸法に形成されている。そして、ハンド２５ｃは、トレイ２７間の隙間に挿入された状態から上昇させられることにより、２本の腕によってトレイ２７を下方から押し上げてトレイ保持部材２４ｃから取り上げるとともに、トレイ２７を安定して保持できるようになっている。
【００４４】
前記第２空間Ｓ２には、図７、図１１および図１２に示されるように、培養処理装置２０が構成されている。
培養処理装置２０は、検体導入部６５、ハンドリングロボット６６，給排ロボット３０、遠心分離器３１、分注ロボット３３、チップ供給装置３５、チップ回収部５１、試薬等供給装置３６、顕微鏡３７、貯留タンク３８、水平移動機構３９および載置台４１を備えている。
【００４５】
検体導入部６５は、例えば、医療機関等で患者から採取された骨髄液を導入され、供給された骨髄液から間葉系幹細胞を多く含む検体を集める部分であって、提供された骨髄液にＰＢＳ（リン酸緩衝化食塩水）等を供給して攪拌し、攪拌された骨髄液から間葉系幹細胞を多く含む検体を分離するようになっている。
ハンドリングロボット６６は、例えば、搬送ロボット２５と同様の水平多関節ロボットであって、先端に設けたハンドを移動させてトレイ２７に載置されている培養容器２を載置台４１上移載するようになっている。
【００４６】
給排ロボット３０は、シャッタ２２が開かれた状態で第１空間Ｓ１からコンベア２９によって搬送されてきたトレイ２７上の培養容器２に対し、上記検体導入部６５において集められた検体を供給し、あるいは、培地を供給、回収するようになっている。
【００４７】
また、給排ロボット３０は、水平多関節型ロボットであって、水平旋回可能な２つのアーム３０ａ，３０ｂと、アーム３０ｂの先端に設けられた昇降機構３０ｃとを備えている。昇降機構３０ｃには、上述した第１〜第３の実施形態に係る液体給排装置１，１１，１２のいずれかが搭載されている。図７に示す例では、第３の実施形態に係る液体給排装置１２が搭載されている。これにより、給排ロボット３０は、その動作範囲内の任意の位置に、液体給排装置１２を移動させることができるようになっている。
【００４８】
給排ロボット３０は、チップ８を装着した一方のノズル３によって、貯留タンク３８からダクト３０ｄを介して導かれた培地を培養容器２内に供給し、あるいは、チップ８′を装着したノズル３′によってピペッティング動作を行うようになっている。また、他方のノズル３は、培養容器２内あるいは遠心容器内の不要な培地を吸引し、ダクト３０ｄを介して他の貯留タンク３８へ廃液として排出するようになっている。
【００４９】
ノズル３′によるピペッティング動作は、ノズル３′の先端にチップ８′を装着して、細胞と培地との混合液に対し、吸引および放出を１０回〜２０回繰り返す。これにより、混合液を均一に攪拌するようになっている。
また、給排ロボット３０は、ピペッティング動作の後に、ノズル３′によって、遠心分離機３１により分離された細胞と培地との混合液を吸引し、載置台４１上に搭載された培養容器２内に上部開口から供給するようになっている。
【００５０】
一旦使用された使用済みのチップ８，８′は、チップ回収部５１において取り外され回収されるようになっている。したがって、給排ロボット１０は、載置台４１、チップ供給装置３５、チップ回収部５１および遠心分離機３１からの細胞供給装置（図示略）等の種々の装置をその動作範囲内に配置している。
【００５１】
前記遠心分離機３１は、ピペッティング動作により混合された細胞懸濁液を貯留した遠心容器を受け取って低速回転させることにより、骨髄液内に含有されている間葉系幹細胞等の白血球をその他の体液から分離して沈下させるようになっている。また、遠心分離機３１は、給排ロボット３０から供給された細胞入り培地を低速回転させることにより培地内に浮遊していた比重の重い細胞を培地から分離して沈下させるようになっている。
【００５２】
分注ロボット３３は、血清や試薬等の種々の液体を分注するための電動ピペット３２を備えた水平回転および昇降移動可能なロボットであって、第２空間Ｓ２内に４台設置されている。これら分注ロボット３３は、それぞれ、先端にチップ３４を着脱可能に取り付ける電動ピペット３２を備えた水平回転可能なアーム３３ａと、該アーム３３ａを昇降させる昇降機構３３ｂとを備えている。分注ロボット３３は、水平移動機構３９によって搬送されて来た培養容器２内へ、培地や種々の試薬を供給するようになっている。したがって、分注ロボット３３は、水平移動機構３９上の載置台４１、チップ供給装置３５、チップ回収部５１および試薬等供給装置３６等の種々の装置をその動作範囲内に配置している。
【００５３】
これら給排ロボット３０および分注ロボット３３は、チップ供給装置３５により供給されたチップ８，８′，３４をノズル３，３′、電動ピペット３２の先端に取り付けるようになっている。
前記チップ供給装置３５は、これら給排ロボット３０のノズル３，３′および分注ロボット３３の電動ピペット３２先端に取り付ける使い捨て可能なチップ８，８′，３４を複数収容していて給排ロボット３０および分注ロボット３３の動作範囲内に提供するようになっている。
【００５４】
すなわち、チップ供給装置３５は、上方に開口した容器３５ａ内に、ノズル３，３′および電動ピペット３２への取付口を上向きにして複数のチップ８，８′，３４を配列状態に収容している。そして、給排ロボット３０や分注ロボット３３が、新たなチップ８，８′，３４を必要とするときに、ノズル３，３′，電動ピペット３２を上方から挿入するだけで、ノズル３，３′または電動ピペット３２の先端にチップ８，８′，３４を取り付けることができるように構成されている。
【００５５】
容器３５ａは、給排ロボット３０や分注ロボット３３によるノズル３，３′および電動ピペット３２の移動方向に対して交差する方向に往復移動させられるように移動機構３５ｂに取り付けられている。また、分注ロボット３３にチップ３４を供給するチップ供給装置３５には、移動機構３５ｂによる移動方向とは直交する方向に容器３５ａを移動させる他の移動機構３５ｃが備えられている。これにより、容器３５ａ内の全てのチップ８，８′，３４に対してノズル３，３′および電動ピペット３２がアクセスすることができるようになっている。
【００５６】
前記チップ回収部５１は、使用済みのチップ８，８′，３４を廃棄回収するようになっている。このチップ回収部５１は、廃棄容器５９の入口に、チップ８，８′，３４を把持する把持装置（図示略）を備えていて、給排ロボット３０や分注ロボット３３において使用されたチップ８，８′，３４が把持装置に挿入されると、これを把持するようになっている。そして、この状態で給排ロボット３０や分注ロボット３３がノズル３，３′や電動ピペット３２を移動させることにより、ノズル３，３′や電動ピペット３２先端から使用済みチップ８，８′，３４が取り外され、廃棄容器５９内にダクト６０を介して回収されるようになっている。廃棄容器５９は、空間Ｓ２２２内に着脱可能に配置されており、必要に応じて交換可能となっている。
前記ダクト６０および廃棄容器５９の交換時には、培養処理装置２０の側壁５０ａ，５０ｂに設けられた図示しないドアを開くことにより、培養処理装置２０の外部からアクセスすることとすればよい。
【００５７】
試薬等供給装置３６は、血清や試薬等の種々の液体を複数の容器に貯留している。
この試薬等供給装置３６は、例えば、図１２に示されるように、円筒状のケーシング内部に、水平回転可能なテーブル３６ａを収容し、該テーブル３６ａ上に、扇型の底面形状を有する筒状の試薬等容器３６ｂを周方向に複数配列して搭載している。ケーシング内部は一定の温度に保冷されている。各試薬等容器３６ｂには、種々の試薬等が貯留されている。例えば、細胞を培養するために必要な培地を構成するＭＥＭ(Minimal Essential
Medium：最小必須培地)、ＤＭＥＭ（Dulbecco's Modified
Eagle Medium）、ＦＢＳ（Fetal Bovine Serum：ウシ胎児血清）やヒト血清のような血清、培養容器２内の細胞を剥離させるトリプシンのような蛋白質分解酵素や、培養に際して細胞を成長させるサイトカインのような成長因子、細胞を分化させるデキサメタゾンのような分化誘導因子、ペニシリン系抗生物質のような抗生剤、エストロゲン等のホルモン剤や、ビタミン等の栄養剤が貯留されている。
【００５８】
試薬等供給装置３６のケーシングの上面には、分注ロボット３３が電動ピペット３２先端のチップ３４を挿入する挿入口３６ｃが設けられている。この挿入口３６ｃは、前記分注ロボット３３の動作範囲内に配置されている。また、各試薬等容器３６ｂは、その上面に、前記挿入口３６ｃに一致する位置に配置される開口部（図示略）を備えている。これにより、テーブル３６ａを回転させて試薬等容器３６ｂの開口部をケーシングの挿入口３６ｃの鉛直下方に配置することで、分注ロボット３３が、電動ピペット３２先端のチップ３４を上方から試薬等容器３６ｂ内へ挿入して、内部に貯留されている試薬等を吸引することができるようになっている。試薬等供給装置３６を２台設けているのは、検体に共通のトリプシンのような薬液と、検体に固有の血清のような液体とを分離して取り扱うようにしているためである。
【００５９】
顕微鏡３７は、培養容器２内における細胞の様子を観察できるようになっている。培養容器２内の細胞の様子を観察する場合には、ハンドリングロボット６６を作動させて、載置台４１上に載置されている培養容器２を顕微鏡３７に移載するようになっている。
顕微鏡３７は、培養工程の途中、あるいは、培地交換の際に、培養容器２内の細胞の様子や増殖の程度を観察したり、細胞数を計数したりする場合等に使用されるようになっている。顕微鏡３７のＸＹステージ３７ａや作動距離調整、倍率の変更等は全て遠隔操作により行うことができるように構成されている。第２空間Ｓ２の外方に向けて接眼レンズを配置しておくことにより、自動培養装置２１の外部から培養容器２内の細胞の状態を観察できるようにしてもよい。
【００６０】
貯留タンク３８は、各試薬および培地交換等により廃棄される廃液をそれぞれ貯留するように複数設けられている。水平移動機構３９は、前記コンベア２９と各ロボット３０，３３との間で培養容器２を受け渡し可能とするように、培養容器２を移動させるようになっている。前記載置台４１は、水平移動機構３９のスライダ４０に取り付けられ、受け取った培養容器２を載置するように構成されている。
【００６１】
また、貯留タンク３８は、例えば、全ての検体に共通して使用できるＭＥＭやＰＢＳ（リン酸緩衝化食塩水）等を貯留しておき、必要に応じて試薬等供給装置３６内の試薬等容器３６ｂ内に供給するようになっている。また、貯留タンク３８には、廃液タンクとして、培地交換の際に排出される廃培地等を貯留するものもある。
なお、第２空間Ｓ２にも、該第２空間Ｓ２内の空気を浄化するために清浄な下降気流を形成する空気清浄機５２が設けられている。
【００６２】
前記水平移動機構３９は、直線移動機構により水平方向に移動可能なスライダ４０を備えている。スライダ４０上には前記載置台４１が搭載されており、載置台４１に搭載された培養容器２を、コンベア２９から分注ロボット３３の動作範囲まで移動させることができるようになっている。
【００６３】
前記載置台４１は、コンベア２９上のトレイ２７内から移載された培養容器２を搭載して保持する保持機構（図示略）を備えている。また、該培養容器２に振動を付与する加振装置（図示略）を備えていてもよい。加振装置は、例えば、培養容器２を所定の角度範囲で往復揺動させる装置の他、超音波振動を加える装置や、水平方向の振動を加える装置を採用してもよい。
本実施形態に係る自動培養装置２１の各種装置には、図示しない制御装置が接続されている。制御装置は、各工程の順序や動作タイミング等を制御するとともに、動作履歴等を記録保存するようになっている。
【００６４】
前記第２空間Ｓ２に構成された培養処理装置２０は、その高さ方向の中間位置に配され第２空間Ｓ２内を上部空間Ｓ２１と下部空間Ｓ２２とに上下に区画する第１の区画壁５３と、該第１の区画壁５３により形成された下部空間Ｓ２２内をさらに上下に区画する第２の区隔壁５４とにより、上下方向に並ぶ３つの空間Ｓ２１，Ｓ２２１，Ｓ２２２に区画されている。
【００６５】
第１の区画壁５３は、前記コンベア２９の高さに配置され、その上方の上部空間Ｓ２１内に、載置台４１、給排ロボット３０、分注ロボット３３のアーム３３ａ、顕微鏡３７のＸＹテーブル３７ａ以上の機構部等を配置している。これらの装置は、培養容器２の移動に必要な装置、および培養容器２の上部開口からアクセスすることが必要な装置だからである。なお、試薬等供給装置３６の上面も第１の区画壁５３の上面に露出しているが、これはチップ３４の挿入口３６ｃを上部空間Ｓ２１に開口させるためである。
【００６６】
また、第１の区画壁５３には、載置台４１を上部空間Ｓ２１において移動させるために、載置台４１を下部空間Ｓ２１内の水平移動機構３９に連結するための長孔５５、第１の区画壁５３の下方の空間Ｓ２２１に配置されたチップ供給装置３５からチップ８，８′，３４を取り出すための貫通孔５６、使用済みのチップ８，８′，３４を廃棄するための廃棄口５７が貫通形成されている。さらに、第１の区画壁５３には、その側壁５０ａ，５０ｂに沿って、上下に貫通する通気口５８が設けられている（斜線部）。
【００６７】
第１の区画壁５３と第２の区画壁５４との間の空間Ｓ２２１には、図１１に示されるように、分注ロボット３３の本体部分、チップ供給装置３５、試薬等供給装置３６、顕微鏡３７のＸＹテーブル３７ａ以下の部分、水平移動機構３９および、チップ回収部５１の廃棄口５７と廃棄容器５９とを接続するダクト６０が備えられている。前記ダクト６０は、図１３に示されるように、例えば、その上端にフランジ部６０ａを備える構造とされ、第１の区画壁５３の下部に設けたフック６４に引っかけることで、第１の区画壁５３と第２の区画壁５４との間に着脱可能に設ければよい。第２の区画壁５４の側壁５０ａ，５０ｂ近傍には、該側壁５０ａ，５０ｂに沿って、上下に貫通する通気口６３が設けられている（斜線部）。
【００６８】
さらに、第２の区画壁５４の下方の空間Ｓ２２２には、図１２に示されるように、遠心分離機３１、貯留タンク３８、廃棄容器５９、および排気ファン６１が配置されている。排気ファン６１の出口にはＨＥＰＡフィルタのようなフィルタ６２が設けられ、排気される空気を清浄にするようになっている。
【００６９】
このように構成された本実施形態に係る培養処理装置２０および自動培養装置２１の作用について、以下に説明する。
本実施形態に係る自動培養装置２１を用いて、骨髄間葉系幹細胞を培養するには、まず、患者から採取された骨髄液を遠心分離容器（図示略）に入れた状態で遠心分離機３１に投入する。この工程は、作業者が行ってもよく、また、給排ロボット３０に行わせてもよい。これにより、遠心分離機３１の作動により、骨髄液中から比重の重い骨髄細胞が集められる。
【００７０】
集められた骨髄細胞は、給排ロボット３０により、培養容器２に投入される。このとき、コンベア２９の作動により、トレイ２７に載せた１０個の空の培養容器２が、第１空間Ｓ１から第２空間Ｓ２に差し出されている。トレイ２７上の培養容器２の内の２個の培養容器２が、ハンドリングロボット６６によってトレイ２７上から載置台４１上に移載される。そして、図示しない蓋体開閉装置の作動により、載置台４１上の培養容器２の蓋体２３ｂが開けられる。
【００７１】
チップ供給装置３５が移動機構３５ｂを作動させることにより、未使用のチップ８′を給排ロボット３０の動作範囲内に配すると、給排ロボット３０は、昇降機構３０ｃを作動させることにより、液体給排装置１２を下降させて、第１の区画壁５３下方のチップ供給装置３５から未使用のチップ８′を受け取り、ノズル３′の先端に取り付ける。
【００７２】
この状態で、給排ロボット３０を作動させて、ノズル３′先端のチップ８′を遠心分離機３１内に集められた骨髄細胞懸濁液に接触させる。そして、シリンジポンプ６″を作動させることにより、チップ８′内に骨髄細胞を吸引する。吸引された骨髄細胞は給排ロボット３０を作動させることにより、培養容器２の上部開口から投入される。
この場合において、ピペッティング動作や分注動作を行っているノズル３′以外の２つのノズル３は上向きに配置されているので、これらのノズル３から液だれが発生することを未然に防止することができる。
【００７３】
骨髄細胞を培養容器２内に投入し終わると、給排ロボット３０は、チップ８′を第１の区画壁５３に形成された廃棄口５７まで搬送して挿入することにより、取り外し、チップ回収部５１に回収させる。廃棄口５７において取り外されたチップ８′は、ダクト６０を介して、最下位の空間Ｓ２２２に配置されている廃棄容器内に投入される。骨髄細胞はチップ８′のみに接触し、ノズル３′には接触していないので、チップ８′を取り外して回収することにより、ノズル３′から液だれが発生することを未然に防止することができる。
【００７４】
この状態で、給排ロボット３０は、昇降機構３０ｃを作動させることにより、液体給排装置１２を下降させて、第１の区画壁５３下方のチップ供給装置３５から未使用のチップ８を受け取り、ノズル３の先端に取り付ける。そして、ポンプ６を作動させて、ノズル３先端のチップ８を介して、貯留タンク３８に貯留されているＤＭＥＭやＰＢＳ（リン酸緩衝化食塩水）を培養容器２内に供給する。
【００７５】
この場合において、この場合に、液体を供給するノズル３以外の他のノズル３は、水平より上向きに配置されているので、他の液体が誤って培養容器２内に投入されてしまったり、培養容器２の周囲に滴下されてしまったりする不都合を回避することができる。
その後、上記と同様にして、チップ８が廃棄口５７に廃棄される。
【００７６】
次に、骨髄細胞が投入された培養容器２は、水平移動機構３９を作動させることにより、載置台４１ごと水平移動させられ、各分注ロボット３３の動作範囲内に配置される。分注ロボット３３は、チップ供給装置３５から受け取った未使用のチップ３４を先端に取り付けた電動ピペット３２を作動させることにより、試薬等供給装置３６の試薬等容器３６ｂ内からＤＭＥＭや血清、あるいは各種試薬を適量吸引した後に、培養容器２の上方まで搬送して培養容器２内に注入する。血清や各試薬の吸引は、各試薬等の吸引毎にチップ供給装置３５から未使用のチップ３４に交換して行われる。これにより、培養容器２内においては、適正な培地内に骨髄細胞が混合された状態で存在することになる。
なお、培地内において骨髄細胞を均一に分布させるために、載置台４１を作動させて、培養容器２ごと加振することにしてもよい。
【００７７】
そして、全ての処理を終えた培養容器２は水平移動機構３９の作動により、コンベア２９の近傍まで移動させられ、そこで、再度、蓋体開閉装置およびハンドリングロボット６６の作動により、蓋体２ｂにより上部開口を閉じられた状態で、トレイ２７に戻される。
トレイ２７上の全ての培養容器２に対して所定の処理が行われた後に、コンベア２９を作動させることにより、トレイ２７に載せられた培養容器２が第２空間Ｓ２から第１空間Ｓ１の中央空間Ｓ１２内に挿入される。
【００７８】
この状態で、搬送ロボット２５を作動させることにより、ハンド２５ｃによってトレイ２７を持ち上げる。そして、トレイ２７を収容する培養室２４の前まで搬送したところで、当該培養室２４の扉２４ａを開き、搬送ロボット２５によって、空いているトレイ保持部材２４ｃ上にトレイ２７を挿入する。そして、再度、扉２４ａを閉じることにより、培養室２４内の培養条件を一定に保持して細胞の培養が行われることになる。なお、骨髄細胞投入や、ＤＭＥＭ、血清、各種試薬の投入や吸引の順序は適宜変更してもよいのは言うまでもない。
【００７９】
また、培地交換や容器交換の際にも、上記と同様にして、培養室２４外に配置されている搬送ロボット２５の作動により、培養室２４内の培養容器２がトレイ２７ごと取り出され、第１空間Ｓ１から第２空間Ｓ２へ受け渡される。第２空間Ｓ２では、培養容器２内にトリプシンが注入されて、培養容器２内の細胞が剥離させられた状態で、給排ロボット３０の作動によって遠心分離機３１内に投入され、間葉系幹細胞等の必要なもののみが集められる。その他の処理工程は上記と同様である。
【００８０】
そして、複数回の培地交換や容器交換を介した所定期間にわたる培養工程を行うことにより、間葉系幹細胞が十分な細胞数まで増殖させられることになる。十分な細胞数に達したか否かは、間葉系幹細胞が底面に付着した培養容器２を顕微鏡３７まで搬送することにより、観察あるいは測定され、細胞の増殖の程度が判断される。なお、トレイ２７上には、同一検体の培養容器２が載置されていてもよいし、異なる検体の培養容器２が混在していてもよい。また、載置台４１上には同一検体の培養容器２が載置されてもよいし、異なる検体の培養容器２が混在していてもよい。
また、細胞の増殖の程度を自動的に判断して次の工程に移るのか、もう１サイクル培養工程を行うのかを自動判断するようにしてもよい。
【００８１】
このようにして、本実施形態に係る自動培養装置２１により、患者から採取した骨髄液から十分な細胞数の間葉系幹細胞を自動的に培養することが可能となる。
なお、十分な間葉系幹細胞が得られた後には、培養容器２内にリン酸カルシウムのような生体組織補填材およびデキサメタゾンのような分化誘導因子を投入して、再度培養工程を継続することにより、生体の欠損部に補填可能な、生体組織補填体を製造することにしてもよい。
また、培養室２４は、ＣＯ２インキュベータ、マルチガスインキュベータ、インキュベータ、または保冷庫等のように、培養に利用されるものあるいはその組合せで構成されていてもよい。
【００８２】
また、本実施形態に係る培養処理装置２０によれば、給排ロボット３０に設けた液体給排装置１２の作動により、ピペッティング動作を行い、培地を供給しあるいは、廃培地を吸引排出する際に、他のノズル３，３′が下向きにならないように配置するので、予期しない液体が液だれとなって滴下してしまうことをより確実に防止することができる。したがって、培養処理装置２０内部の環境を汚染することなく、また、クロスコンタミネーション等の発生を未然に防止することができる。
【００８３】
また、本実施形態に係る培養処理装置２０および自動培養装置２１によれば、培養処理装置２０の第２空間Ｓ２内が、第１の区画壁５３により上部空間Ｓ２１と下部空間Ｓ２２とに区画されている。さらに、上部空間Ｓ２１には清浄な下降気流を発生させる空気清浄機５２が設けられている。そして、第１の区画壁５３には、その側壁２０ａ，２０ｂ近傍に通気口５８が設けられている。第１の区画壁５３には、通気口５８の他に種々の装置を貫通させるための貫通孔５６，５７等が形成されているが、通気口５８の流通断面積を他の貫通孔５６，５７等の流通断面積より十分に大きく確保しておくことにより、気流を通気口５８に通過させることが可能となる。
【００８４】
したがって、上部空間Ｓ２１内を下降してきた清浄な気流は、第１の区画壁５３の近くで側壁２０ａ，２０ｂの方向に向かい、通気口５８を介して下部空間Ｓ２２へと流通させられる。その結果、上部空間Ｓ２１内に浮遊していた塵埃を下方に向かって押し流してきた気流が、上部空間Ｓ２１の側壁２０ａ，２０ｂ近傍の角部に滞留することがなく、スムーズに下部空間Ｓ２２へ流通させられることになる。
【００８５】
さらに、本実施形態に係る培養処理装置２０および自動培養装置２１によれば、蓋体２ｂを開かれた状態の培養容器２が移動させられる上部空間Ｓ２１には、培養容器２の移動に必要な載置台４１、顕微鏡３７のＸＹテーブル３７ａ、培養容器２の上部開口からアクセスすることが必要な給排ロボット３０、分注ロボット３３の電動ピペット３２、顕微鏡３７の光源部分等のみが配置され、その他の機構部は下部空間Ｓ２２に配置されている。したがって、上部空間Ｓ２１における塵埃の発生が最小限に抑えられ、培養容器２内への塵埃の混入の可能性が低減されることになる。
【００８６】
また、特に、塵埃を発生する可能性の高い装置、例えば、遠心分離機３１、廃棄容器５９、排気ファン６１等は、下部空間Ｓ２２の内、さらに第２の区画壁５４によって区画された最下位の空間Ｓ２２２内に配置されているので、そこで発生した塵埃が上部空間Ｓ２１に流入することはない。さらに、空間Ｓ２２２内の空気は排気ファン６１によって吸引され、ＨＥＰＡフィルタ６２によって塵埃を除去された後に培養処理装置２０の外部に放出される。したがって、上部空間Ｓ２１の清浄度は、極めて高い清浄度に維持されることになる。
【００８７】
また、第２の区画壁５４にも、側壁２０ａ，２０ｂに沿って通気口６３が設けられているので、上部空間Ｓ２１から流入した塵埃を含む気流が、空間Ｓ２２１内に広がることなく、スムーズに空間Ｓ２２２に向けて流通させられることになる。
【００８８】
さらに、培地や細胞が付着した使用済みのチップ３４を収容した廃棄容器５９は、着脱可能であり、必要によりまたは定期的に交換することで、下部空間Ｓ２２の清浄度をも高い状態に回復することができる。さらに、廃棄容器５９への廃棄の際に使用済みのチップ３４を通過させるダクト６０も、必要によりまたは定期的に取り外して、交換あるいは清掃することで、清浄度の向上に寄与することができる。
【００８９】
さらに、本実施形態に係る自動培養装置２１は、搬送ロボット２５の設置されている中央空間Ｓ１２の上部に、空気清浄部２６を備えているので、搬送ロボット２５の存在する中央空間Ｓ１２内も常に清浄度が維持されている。したがって、培養室２４の扉２４ａが開かれたときにも、培養室２４内に塵埃が流入することを最小限に抑えることが可能となる。
したがって、本実施形態に係る自動培養装置２１によれば、培養中の細胞が塵埃等によって汚染される可能性を低減し、健全な細胞を培養することができるという効果がある。
【００９０】
なお、この発明は、上記実施形態に示した構成に限定されるものではない。すなわち、培養室２４の形状や数、搬送ロボット２５、給排ロボット３０および分注ロボット３３の形態や数、各種装置の形態や数等は、何ら限定されることなく、適用条件に合わせて任意に設定することができる。
【００９１】
また、成長因子としては、サイトカインの他に、例えば、濃縮血小板、ＢＭＰ、ＥＧＦ、ＦＧＦ、ＴＧＦ−β、ＩＧＦ、ＰＤＧＦ、ＶＥＧＦ、ＨＧＦやこれらを複合させたもの等の成長に寄与する物質を採用することにしてもよい。また、抗生剤としては、ペニシリン系抗生物質の他、セフェム系、マクロライド系、テトラサイクリン系、ホスホマイシン系、アミノグリコシド系、ニューキノロン系等任意の抗生物質を採用することができる。
なお、本発明に係る自動培養装置は、骨髄の間葉系幹細胞の培養に限定されるものではない。生体の種々の組織から採取された細胞や、樹立された細胞ラインを培養してもよい。
【００９２】
また、生体組織補填材としては、リン酸カルシウムに代えて、生体組織に親和性のある材料であれば任意のものでよく、生体吸収性の材料であればさらに好ましい。特に、生体適合性を有する多孔性のセラミックスや、コラーゲン、ポリ乳酸、ポリグリコール酸、ヒアルロン酸、またはこれらの組合せを用いてもよい。また、チタンの様な金属であってもよい。また、生体組織補填材は、顆粒状でもブロック状でもよい。
【図面の簡単な説明】
【００９３】
【図１】本発明の第１の実施形態に係る液体給排装置を模式的に示す全体構成図である。
【図２】図１の液体給排装置の回転ヘッドを示す正面図である。
【図３】本発明の第２の実施形態に係る液体給排装置を模式的に示す全体構成図である。
【図４】図３の液体給排装置の回転ヘッドの動作を説明する正面図である。
【図５】本発明の第３の実施形態に係る液体給排装置を模式的に示す全体構成図である。
【図６】図５の液体給排装置の回転ヘッドの動作を説明する正面図である。
【図７】本発明の一実施形態に係る培養処理装置およびこれを適用する自動培養装置を示す斜視図である。
【図８】図７の自動培養装置の第１空間を概略的に示す縦断面図である。
【図９】図７の自動培養装置の第１空間を概略的に示す平面図である。
【図１０】図７の自動培養装置において用いられる培養容器の一例を示す斜視図である。
【図１１】図７の自動培養装置の培養処理装置の第１の区画壁を除去して第２の区画壁上の装置を示す斜視図である。
【図１２】図７の自動培養装置の培養処理装置の第１および第２の区画壁を除去して最下位の空間内に設置された装置を示す斜視図である。
【図１３】図７の自動培養装置の培養処理装置の廃棄容器に接続するダクトの取付構造例を示す縦断面図である。
【符号の説明】
【００９４】
Ａ，Ｂ  液体
１，１１，１２  液体給排装置
２  培養容器
３，３′  ノズル
９  ヘッド部（回転ヘッド）
１０  モータ（ノズル移動機構）
２０  培養処理装置
【図１】
2006167496.tif 000003
【図２】
2006167496.tif 000004
【図３】
2006167496.tif 000005
【図４】
2006167496.tif 000006
【図５】
2006167496.tif 000007
【図６】
2006167496.tif 000008
【図７】
2006167496.tif 000009
【図８】
2006167496.tif 000010
【図９】
2006167496.tif 000011
【図１０】
2006167496.tif 000012
【図１１】
2006167496.tif 000013
【図１２】
2006167496.tif 000014
【図１３】
2006167496.tif 000015